(57)【要約】【課題】リモコンを操作することなく、ユーザーの好みに応じた空調環境を実現することができる空気調和機の室内機を得る。【解決手段】空気調和機の室内機１００は、予め携帯用情報端末７０を経由してユーザー顔情報およびユーザー空調情報が記憶され、室内撮像装置５０の顔認識範囲５２にユーザーの顔Ｆ１があるとき、顔Ｆ１を認識すると共に、顔Ｆ１を有すユーザーが予め記憶した第１ユーザー顔情報ＩＦ１に示された第１ユーザーＵ１の顔であると判断したとき、第１ユーザーＵ１用に設定された第１ユーザー空調情報ＩＣ１に示された第１ユーザー空調環境Ｃ１になる調和空気を、第１ユーザーＵ１に向けて吹き出す。【選択図】図６
2014020670.tif 000002
【特許請求の範囲】
【請求項１】
吸込口および吹出口がそれぞれ形成され、室内の壁面に設置される本体と、
前記吸込口から室内空気を吸い込んで、前記吹出口に至る風路を形成する送風機と、
前記風路に設置され、冷凍サイクルの一部を実行する熱交換器と、
前記吹出口に設置され、前記熱交換器において調和空気の吹き出し方向を調整する風向調整装置と、
前記室内を撮像する室内撮像装置と、
携帯用情報端末によって送信されたユーザー顔情報およびユーザー空調情報と前記室内撮像装置が撮像した映像とに基づいて、前記送風機、前記冷凍サイクル及び前記風向調整装置のうち少なくとも１つを制御する制御装置と、を有し、
前記制御装置は、前記室内撮像装置が特定の視野である顔認識範囲に人間の顔があり、当該人間の顔を認識したとき、当該人間の顔と前記携帯用情報端末によって送信され予め記憶しているユーザー顔情報に示された顔とを対照し、当該人間の顔が前記記憶しているユーザー顔情報に示された顔のうちの特定のユーザーの顔であると判断した場合、当該人間に向けて前記特定のユーザー用に設定されたユーザー空調情報に示された空調環境になる調和空気を吹き出すよう、前記送風機、前記冷凍サイクル及び前記風向調整装置のうち少なくとも１つを制御することを特徴とする空気調和機の室内機。
【請求項２】
前記制御装置は、前記冷凍サイクルの停止中に人間の顔を認識した際、前記冷凍サイクルを起動することを特徴とする請求項１記載の空気調和機の室内機。
【請求項３】
前記制御装置は、前記顔が認識された人間が移動したとき、当該人間を追跡して当該人間の位置を特定し、特定された位置に向けて前記調和空気が送られるように、前記送風機、前記冷凍サイクルおよび前記風向調整装置のうち少なくとも１つを制御することを特徴とする請求項１または２記載の空気調和機の室内機。
【請求項４】
前記ユーザー顔情報および前記ユーザー空調情報が、第１ユーザーの顔に関する第１ユーザー顔情報および第１ユーザー用に設定された第１ユーザー空調情報と、第２ユーザーの顔に関する第２ユーザー顔情報および第２ユーザー用に設定された第２ユーザー空調情報と、を含み、
前記制御装置は、前記顔認識範囲において認識した人間の顔が前記第１ユーザーの顔であると判断した場合、当該人間に向けて前記第１ユーザー空調情報に示された空調環境になる調和空気を、所定の独占時間の間だけ吹き出すよう、前記送風機、前記冷凍サイクルおよび前記風向調整装置のうち少なくとも１つを制御することを特徴とする請求項１乃至３の何れか一項に記載の空気調和機の室内機。
【請求項５】
前記制御装置は、前記所定の独占時間が経過した後に、前記室内に、前記顔認識範囲において顔が認識された人間以外の人間がいると判断し、前記顔認識範囲において認識した人間以外の人間の顔が前記第２ユーザーの顔であると判断した場合、前記室内に向けて前記第１ユーザー空調情報に示された空調環境と前記第２ユーザー空調情報に示された空調環境との平均的な空調環境になる調和空気を吹き出すよう、前記送風機、前記冷凍サイクルおよび前記風向調整装置のうち少なくとも１つを制御することを特徴とする請求項４記載の空気調和機の室内機。
【請求項６】
前記制御装置は、前記送風機、前記冷凍サイクルおよび前記風向調整装置の何れかを制御している際に、前記顔認識範囲において顔が認識された人間が前記室内の外に移動したと判断した場合、該判断の後、所定の継続時間が経過するまでは、前記制御を継続し、所定の継続時間が経過したところで、前記制御を停止することを特徴とする請求項１乃至５の何れか一項に記載の空気調和機の室内機。
【請求項７】
前記制御装置は、特定された位置に、特定された位置から離れた位置よりもより長時間またはより多量の前記調和空気が送られるように、前記風向調整装置を制御することを特徴とする請求項１乃至６の何れか一項に記載の空気調和機の室内機。
【請求項８】
前記制御装置は、前記送風機、前記冷凍サイクルおよび前記風向調整装置の何れかを制御している際、前記顔認識範囲において顔が認識された人間が所定の時間が経過しても当該特定された位置に居ると判断した場合、前記調和空気が前記室内に略均一に送られるように前記風向調整装置を制御することを特徴とする請求項１乃至７の何れか一項に記載の空気調和機の室内機。
【請求項９】
吸込口および吹出口がそれぞれ形成され、室内の壁面に設置される本体と、前記吸込口から室内空気を吸い込んで、前記吹出口に至る風路を形成する送風機と、前記風路に設置され、冷凍サイクルの一部を実行する熱交換器と、前記吹出口に設置され、前記熱交換器において調和空気の吹き出し方向を調整する風向調整装置と、前記室内を撮像する室内撮像装置と、記憶しているユーザー顔情報およびユーザー空調情報と前記室内撮像装置が撮像した映像とに基づいて、前記送風機、前記冷凍サイクルおよび前記風向調整装置のうち少なくとも１つを制御する制御装置と、を有し、
前記記憶しているユーザー顔情報およびユーザー空調情報は、ユーザーの顔を撮像する顔撮像手段と、ユーザーが空調環境を設定する空調環境設定手段と、前記顔撮像手段によって撮像されたユーザーの顔に関するユーザー顔情報および前記空調環境設定手段によって設定された空調環境に関するユーザー空調情報を送信する送信手段とを具備する携帯用情報端末によって、送信されたものであって、
前記携帯用情報端末によって撮像されたユーザーの顔に関するユーザー顔情報と、前記携帯用情報端末によって前記ユーザー用に設定された空調環境に関するユーザー空調情報を受信するステップと、
前記制御装置は、前記受信した前記ユーザー顔情報および前記ユーザー空調情報を記憶するステップと、
前記制御装置は、人間の顔が、所定の時間である顔認識時間の間、前記室内撮像装置の視野内の顔認識範囲にあるとき、当該人間の顔を認識するステップと、
該ステップにおいて認識した人間の顔と前記ユーザー顔情報に示された顔とを対照して、当該人間の顔が前記記憶しているユーザー顔情報に示された顔のうちの特定のユーザーの顔であると判断した場合、前記冷凍サイクルが停止しているときは、前記冷凍サイクルを起動し、該起動した後または前記冷凍サイクルが運転されているときは、当該人間に向けて前記特定のユーザー用に設定されたユーザー空調情報に示された空調環境になる調和空気を吹き出すよう、前記送風機、前記冷凍サイクルおよび前記風向調整装置のうち少なくとも１つを制御するステップと、
前記顔認識範囲において人間の顔が認識された人間が、前記調和空気を吹き出した後、所定の時間である至近判断時間になる前に、前記顔認識範囲を含む比較的狭い範囲である至近位置の外に移動した場合、あるいは、前記調和空気を吹き出した後、所定の時間である至近吹出時間が経過した場合、あるいは、前記至近吹出時間になる前に、前記人間の顔が認識された人間が前記至近位置の外に移動した場合、の何れかの場合に前記冷凍サイクルを停止する吹出停止ステップと、
を実行することを特徴とする空気調和機の室内機。
【請求項１０】
前記ユーザー顔情報および前記ユーザー空調情報が、第１ユーザーの顔に関する第１ユーザー顔情報および第１ユーザー用に設定された第１ユーザー空調情報と、第２ユーザーの顔に関する第２ユーザー顔情報および第２ユーザー用に設定された第２ユーザー空調情報と、を含み、
前記制御装置は、前記顔認識範囲にある人間の顔と前記ユーザー顔情報に示された顔とを対照して、当該人間の顔が前記第１ユーザーの顔であると判断した場合、前記冷凍サイクルが停止しているときは、前記冷凍サイクルを起動し、該起動した後または前記冷凍サイクルが運転されているときは、当該人間に向けて前記第１ユーザー空調情報に示された空調環境になる調和空気を吹き出すよう、所定の独占時間が経過するまでの間、前記送風機、前記冷凍サイクルおよび前記風向調整装置のうち少なくとも１つを制御するステップと、
前記所定の独占時間が経過した後に、前記室内に、前記顔認識範囲において顔が認識された人間と、前記顔認識範囲において顔が認識された人間以外の人間とがいると判断し、前記顔認識範囲において顔を認識した人間以外の人間の顔が前記第２ユーザーの顔であると判断した場合、前記室内に向けて前記第１ユーザー空調情報に示された空調環境と前記第２ユーザー空調情報に示された空調環境との平均的な空調境になる調和空気を吹き出すよう、前記送風機、前記冷凍サイクルおよび前記風向調整装置のうち少なくとも１つを制御するステップと、を有することを特徴とする請求項９記載の空気調和機の室内機。
【請求項１１】
前記室内撮像装置は、１００万以下の画素を有するＣＣＤカメラであることを特徴とする請求項１乃至１０の何れか一項に記載の空気調和機の室内機。
【請求項１２】
前記風向調整装置は、前記調和空気の上下方向の吹出方向を調整する上下風向板と、前記調和空気の左右方向の吹出方向を調整する左右風向板とを、少なくとも一対づつ具備することを特徴とする請求項１乃至１１の何れか一項に記載の空気調和機の室内機。
【請求項１３】
前記携帯用情報端末は、
ユーザーの顔を撮像する顔撮像手段と、
ユーザーが空調環境を設定する空調環境設定手段と、
前記顔撮像手段によって撮像されたユーザーの顔に関するユーザー顔情報及び前記空調環境設定手段によって撮像された空調環境に関するユーザー空調情報を送信する送信手段と、を具備していることを特徴とする請求項１乃至１２の何れか一項に記載の空気調和装置の室内機。
【発明の詳細な説明】
【技術分野】
【０００１】
本発明は空気調和機の室内機、特に、室内を撮像することができる撮像手段を有する空気調和機の室内機に関するものである。
【背景技術】
【０００２】
従来、室内に居る人間（以下、「在室者」と称す）の快適性を増すため、在室者（以下、「ユーザー」と称す）の位置を検知して、在室者を避けるように送風したり、反対に在室者に向けて送風したりする空気調和機の室内機（以下、「室内機」と称す）が知られている。
そして、単に在室者の位置を検知するだけでなく、在室者の活動状態を検知して、かかる活動状態に基づいて、調和空気の温度、吹出量および吹出方向を制御する、すなわち、軽い運動や軽い力仕事をして活動量が大きくなっていると検知したとき、当該ユーザーに向けて集中的に送風し、活動によって発生した熱量を取り除くことにより、体温の上昇を抑えて暑いと感じさせないようにする室内機が開示されている（例えば、特許文献１参照）。
【先行技術文献】
【特許文献】
【０００３】
【特許文献１】特開平６−３２３５９９号公報（第３−５頁、図２）
【発明の概要】
【発明が解決しようとする課題】
【０００４】
しかしながら、特許文献１に開示された室内機では、活動量が大きくなっていないユーザーに向けては調和空気が集中して送風されることはなく、通常の送風がなされる。このため、活動量が大きくなっていないユーザーであっても、個人的に体感温度が相違し、通常の送風では暑いと感じたり（所謂「暑がりさん」）、反対に、寒いと感じたりする（所謂「寒がりさん」）など、ユーザー毎に好みの空調環境が相違するため、それぞれのユーザーが、いちいちリモコン（遠隔操作装置）を操作して、好みの空調環境に変更する必要があった。このため、いちいち設定操作をすることなく、ユーザーの好みの空調環境を実現し、快適性も維持したいという要請がある。
また、暑い（又は寒い）屋外から室内に入った直後に、リモコン（遠隔操作装置）を探して、起動操作をする面倒を解消して、急速に涼しくなりたい（暖まりたい）という要請がある。特に、風呂上がりや暑い（又は寒い）屋外から室内に入った直後には、一時的に急速に涼しくなりたい（暖まりたい）という要請がある。
【０００５】
本発明は、上記のような要請に応えるものであって、リモコンを操作することなく、ユーザーの好みに応じた空調環境を実現することができる空気調和機の室内機を得るものである。
【課題を解決するための手段】
【０００６】
本発明に係る空気調和機の室内機は、吸込口および吹出口がそれぞれ形成され、室内の壁面に設置される本体と、前記吸込口から室内空気を吸い込んで、前記吹出口に至る風路を形成する送風機と、前記風路に設置され、冷凍サイクルの一部を実行する熱交換器と、前記吹出口に設置され、前記熱交換器において調和空気の吹き出し方向を調整する風向調整装置と、前記室内を撮像する室内撮像装置と、携帯用情報端末によって送信されたユーザー顔情報およびユーザー空調情報と前記室内撮像装置が撮像した映像とに基づいて、前記送風機、前記冷凍サイクル及び前記風向調整装置のうち少なくとも１つを制御する制御装置と、を有し、前記制御装置は、前記室内撮像装置が特定の視野である顔認識範囲に人間の顔があり、当該人間の顔を認識したとき、当該人間の顔と前記携帯用情報端末によって送信され予め記憶しているユーザー顔情報に示された顔とを対照し、当該人間の顔が前記記憶しているユーザー顔情報に示された顔のうちの特定のユーザーの顔であると判断した場合、当該人間に向けて前記特定のユーザー用に設定されたユーザー空調情報に示された空調環境になる調和空気を吹き出すよう、前記送風機、前記冷凍サイクル及び前記風向調整装置のうち少なくとも１つを制御することを特徴とする。
【発明の効果】
【０００７】
本発明に係る空気調和機の室内機は、ユーザーの顔が顔認識範囲にあるとき、これを認識し、当該人間が、予め携帯用情報端末によって設定されたユーザーであると判断した場合は、当該ユーザーが設定した空調環境になる調和空気が吹き出されるから、当該ユーザーの快適性が向上する。例えば、暑がりさんの顔が顔認識範囲にあるとき、予め当該暑がりさん用に登録された空調環境（例えば、より低温でより強風の集中送風）になるように制御したり、特定の老人の顔が顔認識範囲にあるとき、予め当該老人用に登録された空調環境（例えば、中間温度で弱風のフイング（分散）送風）になるように制御する。
【図面の簡単な説明】
【０００８】
【図１】本発明の実施の形態１に係る空気調和機の室内機を示す正面図。
【図２】図１に示す室内機を説明する側面視の断面図。
【図３】図１に示す室内機を説明する一部（吹出口の周辺）を示す斜視図。
【図４】本発明の実施の形態１に係る空気調和機の室内機に送信する携帯用情報端末を示す正面図。
【図５】本発明の実施の形態１に係る空気調和機の室内機における顔検知要領を示す側面図。
【図６】本発明の実施の形態１に係る空気調和機の室内機の空調環境制御における各工程を説明するフローチャート。
【図７】本発明の実施の形態１に係る空気調和機の室内機の空調環境制御における各工程を説明するフローチャート。
【図８】本発明の実施の形態１に係る空気調和機の室内機の空調環境制御における風流れを示す平面図。
【図９】本発明の実施の形態１に係る空気調和機の室内機の空調環境制御における風流れを示す平面図。
【図１０】本発明の実施の形態２に係る空気調和機の室内機の空調環境制御における各工程を説明するフローチャート。
【図１１】本発明の実施の形態３に係る空気調和機の室内機の空調環境制御における各工程を説明するフローチャート。
【発明を実施するための形態】
【０００９】
［実施の形態１］
図１〜図９は、本発明の実施の形態１に係る空気調和機の室内機を説明するものであって、図１は室内機を示す正面図、図２は室内機を示す側面視の断面図、図３は室内機の一部（吹出口の周辺）を抜き出して示す斜視図、図４は室内機に送信する携帯用情報端末を示す正面図、図５は顔検知要領を示す側面図、図６および図７は空調環境制御における各工程を説明するフローチャート、図８および図９は空調環境制御における風流れを示す平面図である。なお、各図は模式的に描いたものであって、本発明は図示された形態に限定するものではない。
【００１０】
（室内機）
図１〜図３において、空気調和機の室内機１００は、上部に吸込口３および下部に吹出口７が形成された本体１と、本体１の前面を開閉自在に覆う前面パネル２と、吸込口３から室内空気を吸い込んで、吹出口７に至る風路６を形成する送風機５と、送風機５の上流側（吸込口３寄り）に設置された熱交換器４とを有している。
そして、本体１の前面で吹出口７の脇に、携帯用情報端末７０（図４参照）からの信号を受信する受信装置４０と、室内の様子を撮像する室内撮像装置５０とが設置されている。
なお、本発明は、受信装置４０や室内撮像装置５０の型式や設置位置を限定するものではなく、例えば、前面パネル２の中央部等に設置してもよい。さらに、室内機の運転状況を報知するための音声または映像による報知装置（図示しない）が設けられている。
【００１１】
（熱交換器）
熱交換器４は、冷凍サイクルを実行する構成部材の一部であって、前面パネル２に略平行な部分である熱交換前部分４ａと、送風機５の前面寄り斜め上方の部分である熱交換上前部分４ｂと、送風機５の後面寄り斜め上方の部分である熱交換上後部分４ｃと、を具備している。そして、熱交換前部分４ａの下方にはドレンパン８が配置され、ドレンパン８の上面８ａが実際にドレンを受けるドレンパン面を形成し、ドレンパン８の下面８ｂが風路６の前面側を形成している。
【００１２】
（風向調整装置：上下風向板）
風路の吹出口７に近い位置には、風向調整装置である、熱交換器４において調和された室内空気（以下、「調和空気」と称す）の水平方向（左右方向）の吹き出し方向を調整する左側左右風向板群１０Ｌと右側左右風向板群１０Ｒ（これらをまとめて又はそれぞれを「左右風向板１０」と称している）と、風路６の末端である吹出口７には、調和空気の鉛直方向（上下方向）の吹き出し方向を調整する上下風向板９（前上下風向板９ａおよび後上下風向板９ｂをまとめて「上下風向板９」と称している）とが設けられている。
なお、前記「左側」および「右側」とは、室内機１００から室内を見たとき、すなわち、本体１の背面側から前面パネル２の方向を見たときに、左手に見えるものを「左側」、右手に見えるものを「右側」と、それぞれ称している。
【００１３】
（風向調整装置：左右風向板）
右側左右風向板群１０Ｒは、左右風向板１０ａ、１０ｂ・・・１０ｇによって構成され、ドレンパン８の下面８ｂに回動自在に設置され、それぞれに右側連結棒２０Ｒが連結されている。また、左側左右風向板群１０Ｌは、左右風向板１０ｈ、１０ｉ・・・１０ｎによって構成され、それぞれに左側連結棒２０Ｌが連結されている。
そして、右側左右風向板群１０Ｒと右側連結棒２０Ｒとはリンク機構を形成し、また、左側左右風向板群１０Ｌと左側連結棒２０Ｌとはリンク機構を形成し、右側連結棒２０Ｒには右側駆動手段（図示しない）が、左側連結棒２０Ｌには左側駆動手段３０Ｌが、それぞれ連結されている。
したがって、右側連結棒２０Ｒが右側駆動手段によって平行移動された際、左右風向板１０ａ、１０ｂ・・・１０ｇは互いに平行を維持しながら回動し、左側連結棒２０Ｌが左側駆動手段３０Ｌによって平行移動された際、左右風向板１０ｈ、１０ｉ・・・１０ｎは互いに平行を維持しながら回動する。このため、調和空気を吹出口７の全幅に渡って同じ方向に吹き出したり、吹出口７の半幅毎で互いに離れる方向に吹き出したり、吹出口７の半幅毎で互いに衝突する方向に吹き出したりすることが可能になっている。
なお、本発明は、左右風向板１０の形態を図示するものに限定するものではなく、左右風向板１０の枚数は何れでもよく、また、左右風向板１０を３以上の群に分け、それぞれの群を連結棒に回動自在に接合し、それぞれの連結棒を独立に平行移動させるようにしてもよい。
【００１４】
（上下風向板）
上下風向板９は水平方向（Ｙ方向）に平行な回動中心を有し、本体１に回動自在に設置されている。前上下風向板９ａの回動軸および後上下風向板９ｂの回動軸はそれぞれリンク機構または歯車機構によって連結され、共通の駆動モーターによって回動される。
なお、本発明は、上下風向板９の形態を図示するものに限定するものではなく、前上下風向板９ａおよび後上下風向板９ｂをそれぞれ別個の駆動モーターによって回動してもよい。また、それぞれを左右方向の中央で分割して合計４枚にし、それぞれが別個に独立して回動するようにしてもよい。
【００１５】
（携帯用情報端末）
図４において、空気調和機の室内機１００に送信する携帯用情報端末７０は、ユーザーの顔を撮像する顔撮像手段７１と、ユーザーが空調環境を設定する空調環境設定手段７２と、顔撮像手段７１によって撮像されたユーザーの顔に関するユーザー顔情報および空調環境設定手段７２によって設定された空調環境に関するユーザー空調情報を室内機１００の受信装置４０に送信する送信手段７３とを具備している。
すなわち、通常、ユーザーは複数であるから、第１ユーザーＵ１については、第１ユーザーＵ１の顔Ｆ１に関する第１ユーザー顔情報ＩＦ１および第１ユーザーＵ１用に設定された第１ユーザー空調環境Ｃ１に関する第１ユーザー空調情報ＩＣ１と、第２ユーザーＵ２については、第２ユーザーＵ２の顔Ｆ２に関する第２ユーザー顔情報ＩＦ２および第２ユーザーＵ２用に設定された第２ユーザー空調環境Ｃ２に関する第２ユーザー空調情報ＩＣ２等が、受信装置４０に送信される。
【００１６】
なお、携帯用情報端末７０は前記機能を具備するものである限り、その形式は限定されるものではなく、汎用性のある携帯用情報端末７０（例えば、タブレット端末、スマートフォン等）であれば、操作開始に先行して、空気調和機の室内機１００用の専用アプリケーションを立ち上げることになる。
【００１７】
図４の（ａ）において、表示部７４に第１ユーザーＵ１の名称と撮像された第１ユーザーＵ１の顔（正面）とが表示されている。第１ユーザーＵ１の名称は、携帯用情報端末７０のアプリケーションを立ち上げた直後（起動した直後）に表示部７４に表示される指示に基づいて、空調環境設定手段７２の操作によって入力され、第１ユーザーＵ１の顔は、表示部７４に表示される指示に基づく空調環境設定手段７２の操作によって、顔撮像手段７１が撮像したものである。なお、表示部７４がタッチパネルである場合は、表示部７４の裏面に空調環境設定手段７２が配置されているため、外観上は、表示部７４が空調環境設定手段７２の機能を具備しているとみなすことができる。
【００１８】
図４の（ｂ）において、表示部７４に第１ユーザーＵ１用に設定された第１ユーザー空調情報ＩＣ１が表示されている。
すなわち、第１ユーザーＵ１の名称の下方に、「冷房」運転におけるものであることが表示されている。すなわち、「冷房」文字部にタッチすることによって「冷房」の文字が枠付きの太字に変わっている。
そして、第１ユーザーＵ１の好みの空調環境が、冷房運転の標準的な空調環境に対する変更方向（偏位方向）として、設定温度については「低温側、変更なし、高温側」への変更をそれぞれ示す、「左方向に頂点を持つ三角、四角、右方向に頂点を持つ三角」と、変更後の温度とが表示されている。例えば、低温側への変更を示す「左方向に頂点を持つ三角」を２回タッチしたことによって、標準的な設定温度「２８℃」に対して、第１ユーザーＵ１用には、「２６℃」が設定されている。
【００１９】
また、湿度については、「乾燥側、変更なし、湿り側」を示す三角および四角（温度に準じる）と、前記のようにタッチされた変更後の設定値である湿度「５０％」とが表示されている。
また、風速については、「中風」であることが表示されている。すなわち、「中風」の文字部にタッチすることによって、「中風」の文字が枠付きの太字に変わっている。
また、送風モードについては、「集中吹出」であることが表示されている。すなわち、「集中吹出」文字部にタッチすることによって、「集中吹出」の文字が枠付きの太字に変わっている）。
さらに、表示部７４には、「登録」の文字が表示され、ユーザーが「登録」の文字にタッチすると、表示されている第１ユーザー空調情報ＩＣ１が室内機１００に送信され、記憶される。なお、以上は、表示部７４（空調環境設定手段７２）の一例であって、本発明はかかる表示に限定するものではない。
【００２０】
（制御装置）
室内機１００には制御装置６０が設置されている。制御装置６０は携帯用情報端末７０から送信されたユーザー顔情報およびユーザー空調情報を記憶し、ユーザー顔情報およびユーザー空調情報と室内撮像装置５０が撮像した映像とに基づいて、送風機５、冷凍サイクルおよび風向調整装置（上下風向板９および左右風向板１０）の少なくとも１つを制御する（以下、「空調環境制御」と称す）ものである。
制御装置６０（正確には、制御装置６０に接続された記憶装置（図示しない））には、携帯用情報端末７０から送信された、第１ユーザーＵ１についての第１ユーザー顔情報ＩＦ１および第１ユーザー空調情報ＩＣ１と、第２ユーザーＵ２についての第２ユーザー顔情報ＩＦ２および第２ユーザー空調情報ＩＣ２等が、予め記憶され、ユーザー顔情報データベースおよびユーザー空調情報データベースが形成されている。
そして、空気調和機の室内機１００は、第１ユーザーＵ１（または第２ユーザーＵ２）等に対して、それぞれの好みに応じた空調環境を実現するものであるため、まず（例えば、入室直後に）、第１ユーザーＵ１（または第２ユーザーＵ２）は、自分が「第１ユーザーＵ１（または第２ユーザーＵ２）」であることを制御装置６０に認識させる必要がある。このために、第１ユーザーＵ１（または第２ユーザーＵ２）は、室内機１００に近づいて、自分の顔を認識させる。
【００２１】
そして、制御装置６０は、室内機１００に近づいて顔を認識させた人間が、記憶しているユーザー顔情報が示す顔を持つ人間であるのか否か判断し、当該人間が第１ユーザーＵ１であると判断した場合には、第１ユーザー空調情報ＩＣ１に示された第１ユーザー空調環境Ｃ１になるように、冷凍サイクルを実行する構成部材、送風機５、左右風向板１０あるいは上下風向板９を制御する。
【００２２】
（ユーザーの顔の認識）
図５は、ユーザーの顔の認識要領を説明するためのものであって、室内機１００が、室内９０の一方の壁（以下、「背面壁」と称す）９１で天井面９２に近い位置に設置されている。
また、室内撮像装置５０（例えば、３０万画素のＣＣＤカメラ）は、斜め下方に向かった視野５１を有している。そして、視野５１内で、室内撮像装置５０から距離Ｌ１〜距離Ｌ２（＞Ｌ１）にある範囲（図中、斜線にて示す。「顔認識範囲」と称す）５２内に、第１ユーザーＵ１の顔Ｆ１があるとき、制御装置６０は顔Ｆ１を認識する。
【００２３】
さらに、制御装置６０は、第１ユーザーＵ１が室内撮像装置５０から距離Ｌ３（＞Ｌ２）よりも近づいたとき、「第１ユーザーＵ１は、自分が暑がりさんまたは寒がりさんであることを、室内機１００に認識させようとしている」と判断し、距離Ｌ３よりも近づきながらも、顔認識範囲５２内に顔Ｆ１がないときには、その旨を図示しない報知手段に報知させる。
例えば、「顔を認識することができません」とか、「もっと近づいて下さい」とか音声によって報知させたり、あるいは、顔を認識することができないことを示すランプを点灯あるいは点滅させたりする。なお、報知手段は、前記音声やランプの点灯あるいは点滅に代えて、文字ないし画像を表示するものであってもよい。
【００２４】
一方、第１ユーザーＵ１が室内撮像装置５０から距離Ｌ３（＞Ｌ２）よりも近づきながら、所定の時間（例えば、１０秒間）が経過するまで、顔Ｆ１を認識しないとき（顔Ｆ１を顔認識範囲５２内に入れないとき）、「第１ユーザーＵ１は、自分を室内機１００に認識させようとしていない」または「第１ユーザーＵ１は、室内機１００を起動する意図がない」と判断する。
このとき、その旨を図示しない報知手段に報知させてもよい。例えば、冷凍サイクルを運転中であれば、「通常モードで運転します」とか音声によって報知したり、あるいは、「通常モードでの運転」を示すランプを点灯あるいは点滅させたりする。
【００２５】
（ユーザーの追跡）
制御装置６０は、第１ユーザーＵ１の顔Ｆ１を認識した後は、室内撮像装置５０が撮像した第１ユーザーＵ１の姿から第１ユーザーＵ１を追跡して、その移動先（以下、「ユーザー位置」と称す）Ｐ１を特定する。そして、特定された第１ユーザー位置Ｐ１に向けて、第１ユーザー空調情報ＩＣ１に示された第１ユーザー空調環境Ｃ１になる調和空気を局所的に集中して送風する（集中送風する）。
なお、顔Ｆ１を認識した直後は、第１ユーザーＵ１は室内機１００から離れる方向に移動している（移動中である）ため、かかる移動が終わった後、すなわち、第１ユーザーＵ１が立ち止まった位置、あるいは座った位置を、第１ユーザー位置Ｐ１として特定する。
【００２６】
（空調環境制御）
図６および図７に示すフローチャート、および図８および図９に示す平面図に基づいて、制御装置６０が実行する空調環境制御について説明する。
図６において、顔認識範囲５２に第１ユーザーＵ１の顔Ｆ１があるとき（Ｓ１）、制御装置６０は顔Ｆ１を認識する（Ｓ２）。なお、説明の便宜上、第１ユーザーＵ１の顔Ｆ１があるとしているが、第２ユーザーＵ２の顔Ｆ２があるときは、制御装置６０は顔Ｆ２を認識する。
そして、顔Ｆ１が認識されたところで、冷凍サイクルが停止しているときは（Ｓ３）、冷凍サイクルを起動する（Ｓ４）。
さらに、認識した顔Ｆ１と、予めユーザー顔情報データベースに記憶しているユーザー顔情報に示された顔とを対照して、顔Ｆ１がユーザー顔情報データベースに記憶しているユーザー顔情報に示された顔に一致するか否か判断する（Ｓ５）。
そこで、例えば、顔Ｆ１が第１ユーザー顔情報ＩＦ１に示された顔であると判断した場合、第１ユーザーＵ１に向けて第１ユーザー空調環境Ｃ１となる調和空気（以下「調和空気」と称す）を吹き出すよう、送風機５、左右風向板１０および上下風向板９等を制御する（Ｓ６）。
一方、認識した顔Ｆ１が、予めユーザー顔情報データベースに記憶しているユーザー顔情報に示された顔と一致しない場合、標準的な空調環境になる調和空気を、当該ユーザーに向けて吹き出すよう、送風機５、左右風向板１０および上下風向板９等を制御する（Ｓ７）。
【００２７】
さらに、第１ユーザーＵ１の移動を追跡し（Ｓ８）、第１ユーザーＵ１が立ち止まった位置または座った第１ユーザー位置Ｐ１を特定する（Ｓ９）。そして、第１ユーザー位置Ｐ１に向けて局所的に集中した第１ユーザー空調環境Ｃ１になる調和空気が送られる（集中吹出をする）ように、左右風向板１０および上下風向板９の姿勢を制御する（Ｓ１０）。
したがって、第１ユーザー位置Ｐ１に向けた集中吹出が開始されるため、第１ユーザーＵ１は、予め記憶されている自分好みの第１ユーザー空調環境Ｃ１になる調和空気を、集中的に受けることができる。
なお、認識した顔Ｆ１が、予めユーザー顔情報データベースに記憶しているユーザー顔情報に示された顔に一致しない場合は、顔Ｆ１を有するユーザーが追跡され、該ユーザーに向けて、標準的な空調環境になる調和空気が集中吹出される。
【００２８】
図７において、集中吹出を実行中に、第１ユーザーＵ１またはその他のユーザーが、図示しないリモコンあるいは携帯用情報端末７０を操作して集中吹出を停止する釦を押した場合（図６に記載されたＳ１１）、制御装置６０は、集中吹出を停止して、分散吹出を開始する（Ｓ２０）。すなわち、第１ユーザー位置Ｐ１に集中して調和空気を吹き出すことなく、分散吹出を開始する。
一方、集中吹出を実行中に、集中吹出を停止する釦が押されなかった場合（Ｓ１１）、制御装置は、顔Ｆ１が認識された第１ユーザーＵ１の位置の追跡を継続している。
【００２９】
そして、第１ユーザーＵ１が移動することなく所定の時間（例えば、３０分間）の間、第１ユーザー位置Ｐ１に居たと判定した場合には（Ｓ１３）、集中吹出を停止して、分散吹出を開始する（Ｓ２０）。すなわち、第１ユーザーＵ１は、かかる所定の時間の間に集中吹出によって冷やされ（暖められ）、分散吹出による冷房（暖房）に切り替えても充分快適さを感じることができると推定する。
【００３０】
一方、第１ユーザーＵ１が所定の時間（例えば、３０分間）が経過する前に移動したと判定した場合には（Ｓ１３）、さらに、第１ユーザーＵ１が室内９０に居るのか室外に出たのか判定する（Ｓ１４）。
そして、第１ユーザーＵ１が室内９０に居ると判定したとき、第１ユーザーＵ１の移動先である第１ユーザー位置Ｐ３を特定する（Ｓ１５）。そこで、室内９０にその他のユーザーが居ないと判断した場合には（Ｓ１６）、第１ユーザー位置Ｐ１に向けた集中吹出に代えて、移動先の第１ユーザー位置Ｐ３に向けた集中吹出を開始する（Ｓ１７、図９の（ａ）参照）。
一方、その他のユーザー（例えば、第２ユーザーＵ２）が室内に居ると判断したときは、集中吹出を停止して、分散吹出を開始する（Ｓ２０、図９の（ｂ）参照）。すなわち、第２ユーザーＵ２の快適性を阻害しないようにしている。
【００３１】
Ｓ１４において第１ユーザーＵ１が室内９０外に出掛けたと判定した後で、集中吹出を中止する釦が押された場合（Ｓ１８）、室内９０に第１ユーザーＵ１が居る限り（Ｓ１２）、集中吹出を中止して、分散吹出を開始する（Ｓ２０）。一方、第１ユーザーＵ１が室内９０外に出掛けた後、所定の時間（例えば、１０分間）が経過すると（Ｓ１９）、室内９０にその他のユーザー（例えば、第２ユーザーＵ２）が居る限り（Ｓ１２）、集中吹出を停止して、分散吹出を開始する（Ｓ２０、図９の（ｃ）参照）。
すなわち、第１ユーザーＵ１が一旦室内９０から出た後は、再度、戻って来るか、戻って来ないかに関わらず、室内９０に誰か（例えば、第２ユーザーＵ２）が居る限り、集中吹出を開始してから所定時間（時間）が経過したところで、分散吹出に切り替わる。
【００３２】
Ｓ１２において、室内に誰もいない（ユーザー不在）と判断した場合、冷凍サイクルを停止する（Ｓ２２）。また、Ｓ１１において室内にユーザーが居ると判断した場合、集中吹出を停止して、分散吹出を開始する（Ｓ１２）。
さらに、分散吹出中に、誰か（例えば、第２ユーザーＵ２）が図示しないリモコンあるいは携帯用情報端末７０を操作して分散吹出を停止する釦（冷房または暖房等の停止釦）を押した場合には（Ｓ２１）、冷凍サイクルの運転を停止する（Ｓ２２）。
【００３３】
（集中吹出）
図８の（ａ）において、第１ユーザー位置Ｐ１が室内９０の左側（室内機１００から見て左手）にある場合、右側左右風向板群１０Ｒおよび左側左右風向板群１０Ｌの両方（図３参照）は、第１ユーザー位置Ｐ１に向けて調和空気が吹き出される姿勢（集中吹出の姿勢）にされている。したがって、第１ユーザーＵ１は、室内９０に略均一に調和空気が吹き出される（分散吹出の）場合に比較して、より長時間に渡ってまたはより多量の調和空気を集中的に受けることになる。
すなわち、第１ユーザーＵ１は、リモコン（図示しない）あるいは携帯用情報端末７０を探して、これらに設置された冷房（または暖房）の開始釦を押すという操作が不要であって、顔Ｆ１を室内機１００に近づけるだけで、冷房（または暖房）運転を開始することができる。しかも、移動して所定の位置に立ち止まるか座っていれば、その位置が第１ユーザー位置Ｐ１として自動的に特定され、第１ユーザー位置Ｐ１に向けて冷気（または暖気）が送られてくるから、自分の位置に調和空気が確実に届くよう、携帯用情報端末７０等を操作する必要がない。
このとき、予め記憶されている第１ユーザーＵ１好みの第１ユーザー空調環境Ｃ１となる調和空気が吹き出されるから、第１ユーザーＵ１はいちいち、空調環境を設定する手間から開放される。よって、利便性および快適性が向上する。すなわち、ユーザーは、室内機１００の前に立って、顔認識されるだけで、自分好みの空調環境を実現することができる。
【００３４】
なお、吹き出された調和空気の空気流れは、吹き出し直後は、吹出口の大きさに略同じ断面を有する略均一な流速の束とみなせるものの、室内９０を流れる間に周囲の空気と混ざり合ったりしながら広がるため、実際に第１ユーザー位置Ｐ１に到達した際の空気流れは、吹出口の大きさに比較して大きな断面を有し、その断面内においても流れの方向や流速が様々な空気流れの束の集合になっている。
このため、本発明における「局所的に集中した」や「集中吹出」とは、広がった空気流れを平均化したときの中央が「特定の位置に向かっていること」を意味し、第１ユーザー位置Ｐ１の周囲にも調和空気が到達していることを意味している。
なお、以上は、右側左右風向板群１０Ｒおよび左側左右風向板群１０Ｌの両方が、第１ユーザー位置Ｐ１に向けて調和空気を吹き出しているが、本発明は集中吹出の要領をこれに限定するものではない。
【００３５】
例えば、図８の（ｂ）に示すように、左側左右風向板群１０Ｌは常時、第１ユーザー位置Ｐ１に向けて調和空気の吹き出す姿勢に固定され、右側左右風向板群１０Ｒは第１ユーザー位置Ｐ１および第２ユーザーＵ２が居る第２ユーザー位置Ｐ２を含む所定の範囲（図中、αにて示す）を往復しながら調和空気を吹き出すように回動（スイング）してもよい。
そうすると、第１ユーザーＵ１に向けては、より多量の第１ユーザー空調環境Ｃ１になる調和空気が集中的に吹き出されるから、第１ユーザーＵ１の快適性が高まると共に、第１ユーザー位置Ｐ１を除く範囲には、より少量の第１ユーザー空調環境Ｃ１になる調和空気が間欠的に吹き出されることになる。
このため、第１ユーザーＵ１とは好みの空調環境（体感温度等）が相違する第２ユーザーＵ２が、第１ユーザー位置Ｐ１とは相違する位置である第２ユーザー位置Ｐ２に居る場合、第２ユーザー位置Ｐ２にはより少量の第１ユーザー空調環境Ｃ１になる調和空気が間欠的に吹き出されるから、第２ユーザーＵ２の快適性も維持されることになる。
【００３６】
さらに、図８の（ｃ）に示すように、右側左右風向板群１０Ｒおよび左側左右風向板群１０Ｌの両方が、第１ユーザー位置Ｐ１および第２ユーザー位置Ｐ２を含む所定の範囲（図中、αにて示す）を回動（スイング）して調和空気を吹き出すようにし、第１ユーザー位置Ｐ１に向かった範囲（図中、βにて示す）においては、これを除く範囲よりもスイング速度を遅く（吹き出し時間を長く）するようにしてもよい。そうすると、図８の（ｂ）に示す場合と同様に、好みの空調環境（体感温度等）がそれぞれ相違する第１ユーザーＵ１および第２ユーザーＵ２の快適性も維持されることになる。
なお、集中吹出の要領の選定（図８の（ａ）、（ｂ）または（ｃ）に示す何れかの選定）は、予め携帯用情報端末７０において、決定することができる（例えば、第１ユーザーＵ１は、集中吹出を好まないから、図８の（ｂ）に示す吹出要領を選択する等）。
【００３７】
［実施の形態２］
図１０は、本発明の実施の形態２に係る空気調和機の室内機の空調環境制御における各工程を説明するフローチャートである。なお、実施の形態１と同じ部位または同じステップには同じ符号を付し、一部の説明を省略する。
実施の形態２に係る空気調和機の室内機（以下、「室内機」と称す）２００は、風呂上がりや暑い（又は寒い）屋外から室内に入った直後に、一時的に急速に涼しくなりたい（暖まりたい）というユーザーの要請に応えるものである。
【００３８】
すなわち、実施の形態１の室内機１００は、顔認識したユーザーの移動を追跡して、移動先であるユーザー位置に向けて集中吹出をするものである（図６におけるＳ１０参照）。そうすると、実施の形態１の室内機１００では、第１ユーザーＵ１は、例えば、湯上がり直後あるいは入室直後に顔認識をすることによって室内機１００を起動し、室内機１００の至近位置Ｐ０（第１ユーザーＵ１が顔Ｆ１を顔認識範囲５２に入れることができる位置、および該範囲を含む比較的狭い範囲を指す。図５参照）に立ち続け、所定の時間である至近判断時間（例えば１０分）後に、至近位置Ｐ０から離れた場合、移動する湯上がりさんに向けて集中吹出が継続されることになる。
このとき、第１ユーザーＵ１は、集中吹出である第１ユーザー空調環境Ｃ１が記憶されている場合であっても、集中吹出を望まないで、分散吹出を希望する場合であるため、実施の形態２の室内機２００は、これに対応している。
【００３９】
図１０において、室内機２００は、至近位置Ｐ０に立っている第１ユーザー位置Ｐ１に向けて集中吹出を開始し（Ｓ１０）、集中吹出を継続しているとき（Ｓ１０）、ユーザー（例えば、第１ユーザーＵ１）が、所定の時間である至近判断時間（例えば、３０秒間）が経過しても至近位置Ｐ０に居続けて（立ち続けて）いるか否かを判断する（Ｓ３１）。
すなわち、第１ユーザーＵ１に向けて、涼み終わるまでの所定の時間である至近吹出時間（例えば、１０分間）の間は集中吹出が継続されるから、第１ユーザーＵ１は至近位置Ｐ０において涼むことができる（Ｓ３２）。
そして、前記至近吹出時間（例えば、１０分間）が経過した時点で、分散吹出に移行する（図７のＳ２０参照）。
また、前記至近吹出時間（例えば、１０分間）が経過する前に、第１ユーザーＵ１が涼み終わって至近位置Ｐ０を離れた場合（Ｓ３３）には、離れた時点で、分散吹出に移行する（図７のＳ２０参照）。
【００４０】
一方、第１ユーザーＵ１が、至近位置Ｐ０における急速冷房（暖房）を望まない場合、至近位置Ｐ０において顔認識をした後、前記至近判断時間（例えば、３０秒間）が経過する前に至近位置Ｐ０を離れる（Ｓ３１）。
この場合は、実施の形態１の室内機１００と同様に、第１ユーザーＵ１の移動を追跡し、第１ユーザー位置Ｐ１（至近位置Ｐ０と相違する）に向けて集中吹出を継続し、再度、所定時間（例えば、３０分）が経過したところで、第１ユーザーＵ１が移動しているか（第１ユーザー位置Ｐ１から移動しているか）否かを判断する（図７のＳ１３参照）。
かかる判断をした以降の工程は、実施の形態１の室内機１００に同じである（図７に続く）。
【００４１】
以上のように、実施の形態２の室内機２００は、前記の各ステップ（工程）を実行するから、第１ユーザーＵ１は、図示しないリモコンあるいは携帯用情報端末７０を操作することなく、至近位置Ｐ０に立つだけで、迅速に冷凍サイクルを起動することができ、しかも、至近位置Ｐ０に立ち続ける限り、前記至近吹出時間が経過するまでは、第１ユーザー空調環境Ｃ１になる調和空気の集中吹出によって急速に涼む（暖まる）ことが可能になる。
また、顔情報が、予めユーザー顔情報データベースに記憶されていないユーザーの場合は、前記至近吹出時間が経過するまでは、標準的な空調環境になる調和空気の集中吹出によって急速に涼む（暖まる）ことが可能になる。
そして、前記至近吹出時間が経過した時点、あるいは、第１ユーザーＵ１（または、ユーザー顔情報データベースに記憶されていないユーザー）が至近位置Ｐ０から離れた時点（涼み終わったとみなすことができる時点に相当する）において、集中吹出を中止し、分散吹出を開始する。
【００４２】
したがって、ユーザー（例えば、第１ユーザーＵ１）は、リモコンあるいは携帯用情報端末７０の操作をすることなく、簡便かつ迅速に涼み（暖まり）始めることができ、さらに、涼み（暖まり）終わった後は、リモコンあるいは携帯用情報端末７０の操作をすることなく、集中した風流れに晒されないから、快適な空調環境を満喫することができる。
【００４３】
［実施の形態３］
図１１は、本発明の実施の形態３に係る空気調和機の室内機の空調環境制御における各工程を説明するフローチャートである。
実施の形態１に係る空気調和機の室内機１００は、室内に、至近位置Ｐ０において顔認識されたユーザー（例えば、第１ユーザーＵ１）の他にユーザー（例えば、第２ユーザーＵ２）が居る場合、第１ユーザーＵ１用の空調環境である第１ユーザー空調環境Ｃ１になる空調空気が分散吹出されるものである（図７のＳ２０）。
このため、例えば、第２ユーザーＵ２の好む空調環境が第１ユーザー空調環境Ｃ１と相違する第２ユーザー空調環境Ｃ２であるとき、第２ユーザーＵ２が不快感を覚える場合がある。
【００４４】
図１１において、実施の形態３に係る空気調和機の室内機３００では、室内に、至近位置Ｐ０において顔認識されたユーザー（例えば、第１ユーザーＵ１）の他にユーザー（例えば、第２ユーザーＵ２）が居る場合（Ｓ１６）、当該ユーザー用のユーザー顔情報およびユーザー空調情報が記憶されているかを判断する。すなわち、室内の様子を撮像する室内撮像装置５０によって撮像された他のユーザー（例えば、第２ユーザーＵ２）の顔Ｆ２と、ユーザー顔情報データベースに記憶されているユーザー顔情報に示された顔とを対照して、顔Ｆ２がユーザー顔情報データベースに記憶されているユーザー顔情報に示された顔に一致するか否か判断する（Ｓ４１）。
【００４５】
そこで、例えば、顔Ｆ２が第２ユーザー顔情報ＩＦ２に示された顔であると判断した場合、第１ユーザーＵ１用の第１ユーザー空調環境Ｃ１と第２ユーザーＵ２用の第２ユーザー空調環境Ｃ２との平均的な空調環境になる空調空気が分散吹出される（Ｓ４２）。
一方、室内の様子を撮像する室内撮像装置５０によって撮像された他のユーザー（例えば、第９ユーザーＵ９）の顔がユーザー顔情報データベースに記憶しているユーザー顔情報に示された顔に一致しない場合、実施の形態１と同様に、第１ユーザーＵ１用の第１ユーザー空調環境Ｃ１になる空調空気が分散吹出される（Ｓ２０）。
したがって、例えば、第２ユーザーＵ２の好む空調環境が第１ユーザー空調環境Ｃ１と相違する第２ユーザー空調環境Ｃ２であるとき、第２ユーザーＵ２は、第１ユーザー空調環境Ｃ１になる空調空気に晒されることなく、第１ユーザー空調環境Ｃ１と第２ユーザー空調環境Ｃ２との中間的な空調環境になる調和空気を受けることができるから、不快感が緩和される。
なお、第２ユーザーＵ２が、第１ユーザー空調環境Ｃ１と第２ユーザー空調環境Ｃ２との中間的な空調環境になる調和空気でなく、第２ユーザー空調環境Ｃ２になる調和空気を望む場合は、第２ユーザーＵ２自身が室内機１００に近づいて、至近位置Ｐ０において顔Ｆ２を認識させればよい。そうすると、第２ユーザーＵ２に向けて第２ユーザー空調環境Ｃ２になる調和空気が吹き出される。
【符号の説明】
【００４６】
１  本体、２  前面パネル、３  吸込口、４  熱交換器、４ａ  熱交換前部分、４ｂ  熱交換上前部分、４ｃ  熱交換上後部分、５  送風機、６  風路、７  吹出口、８  ドレンパン、８ａ  上面、８ｂ  下面、９  上下風向板、９ａ  前上下風向板、９ｂ  後上下風向板、１０  左右風向板、１０Ｌ  左側左右風向板群、１０Ｒ  右側左右風向板群、１０ａ  左右風向板、１０ｈ  左右風向板、２０Ｌ  左側連結棒、２０Ｒ  右側連結棒、３０Ｌ  左側駆動手段、４０  受信装置、５０  室内撮像装置、５１  視野、５２  顔認識範囲、６０  制御装置、７０  携帯用情報端末、７１  顔撮像手段、７２  空調環境設定手段、７３  送信手段、７４  表示部、９０  室内、９１  壁面、９２  天井面、１００  室内機（実施の形態１）、２００  室内機（実施の形態２）、３００  室内機（実施の形態３）。
【図１】
2014020670.tif 000003
【図２】
2014020670.tif 000004
【図３】
2014020670.tif 000005
【図４】
2014020670.tif 000006
【図５】
2014020670.tif 000007
【図６】
2014020670.tif 000008
【図７】
2014020670.tif 000009
【図８】
2014020670.tif 000010
【図９】
2014020670.tif 000011
【図１０】
2014020670.tif 000012
【図１１】
2014020670.tif 000013